(57)【特許請求の範囲】
【請求項１】
ズームレンズ鏡筒内にあってズーミング動作に従って光軸方向に進退する光軸方向移動部材に搭載した電気素子と、カメラボディ側の制御回路とを接続するＦＰＣ基板を有するズームレンズ鏡筒において、
ＦＰＣ基板は、電気素子から制御回路に至る間に折り返し部分を有し、
ズームレンズ鏡筒を構成する環状部材の端面に、ＦＰＣ基板のこの折り返し部分内に入り込んで、該折り返し部分を伸張方向に付勢する板ばね体を設け、
上記板ばね体は、薄肉リング状をなす環状板ばね体からなり、その略半分が環状部材の端面に固定され、残りの半分が上記折り返し部分を伸長方向に付勢する浮上部を構成していることを特徴とするＦＰＣ基板の保持構造。
【請求項２】
ＦＰＣ基板の折り返し部分は後方から前方への折り返し部分であり、上記光軸方向移動部材は、ズーミングに伴い光軸方向に直進移動する直進案内環であってその後端面に上記板ばね体が固定されている請求項１に記載のＦＰＣ基板の保持構造。
【請求項３】
上記電気素子は、レンズシャッタブロックである請求項１または２に記載のＦＰＣ基板の保持構造。
【発明の詳細な説明】
【０００１】
【技術分野】
本発明は、ズームレンズ鏡筒内に設ける電気素子とカメラ本体との間で引廻されるＦＰＣ基板（フレキシブル基板）を保持するＦＰＣ基板の保持構造に関する。
【０００２】
【従来技術及びその問題点】
ズームレンズ鏡筒内に設けた電気素子（レンズシャッタブロック、絞りブロックなど）とカメラ本体内の制御回路との間を電気的に接続して給電及び制御を行うために、ＦＰＣ基板を配設したものが知られている。
【０００３】
このようなズームレンズ鏡筒にあっては、ズーミング動作に伴ってレンズ鏡筒の一部が前後に移動すると、これにつれてＦＰＣ基板も前後に移動し、このＦＰＣ基板の一部が弛んでズームレンズの撮影光路内部へ侵入する虞れがある。このような不都合を解消するため従来、各種のＦＰＣ基板の保持機構またはガイド機構が提案され、実用化されているが、いずれも大型で、スペース効率の低下をもたらしており、省スペース内に収めることが困難になっている。
【０００４】
【発明の目的】
本発明は、上記した事情に鑑み、スペース効率が良好で、レンズ鏡筒の小型化に都合のよい弛み防止手段を備えたＦＰＣ基板の保持構造を提供することを目的とする。
【０００５】
本発明は、ズームレンズ鏡筒内にあってズーミング動作に従って光軸方向に進退する光軸方向移動部材に搭載した電気素子と、カメラボディ側の制御回路とを接続するＦＰＣ基板を有するズームレンズ鏡筒において、ＦＰＣ基板は、電気素子から制御回路に至る間に折り返し部分を有し、ズームレンズ鏡筒を構成する環状部材の端面に、ＦＰＣ基板のこの折り返し部分内に入り込んで、該折り返し部分を伸張方向に付勢する板ばね体を設け、上記板ばね体は、薄肉リング状をなす環状板ばね体からなり、その略半分が環状部材の端面に固定され、残りの半分が上記折り返し部分を伸長方向に付勢する浮上部を構成していることを特徴としている。
【０００７】
ＦＰＣ基板の折り返し部分は、後方から前方への場合、前方から後方への場合のいずれもが考えられ、本発明はいずれの態様にも適用できる。ズームレンズ鏡筒の一般的構成では、後方から前方への折り返し部分の光路内への撓みが問題になることが多い。このため、光軸方向移動部材は、ズーミングに伴い光軸方向に直進移動する直進案内環であってその後端面に、前記板ばね体を固定するのが実際的である。
【０００８】
ズームレンズ鏡筒内の電気素子は、最も一般的にはレンズシャッタブロックであるが、他の電気素子にも勿論適用可能である。
【０００９】
【発明の実施形態】
図１、図２は、この発明のＦＰＣ基板の保持構造を適用したズームレンズ鏡筒の全体構造例を示している。カメラボディに固定される固定筒１は、その内周面に雌ヘリコイド１ａを有しており、この雌ヘリコイド１ａには、ヘリコイド環２の後端部に形成した雄ヘリコイド２ａが螺合している。このヘリコイド環２には、相対回転は自在で光軸方向には一緒に移動するように第一直進案内環３が結合されており、第一直進案内環３は、周知の直進案内機構により、固定筒１に対し相対回転せず光軸方向に直進移動のみ可能に案内されている。ヘリコイド環２の外周面にはギヤが形成されており、このギヤには、固定筒１の外側に配置され該固定筒１に形成した切欠を介してヘリコイド環２に臨む多連ピニオン４が噛み合っている。したがって、このピニオン４が回転すると、ヘリコイド環２が回転しながら光軸方向に進退し、このヘリコイド環２に、回転を規制されている第一直進案内環３が同道する。
【００１０】
ヘリコイド環２の内周面には、光軸と平行な回転伝達溝２ｂが形成されており、この回転伝達溝２ｂに、カム環アッセンブリ５の外側回転伝達環５１の径方向突起５１ａが嵌まっている。また第一直進案内環３の内周面には、雌ヘリコイド３ａが形成されていて、この雌ヘリコイド３ａに、カム環アッセンブリ５の内側カム環５２の外周面に形成した雄ヘリコイド５２ａが螺合している。外側回転伝達環５１と内側カム環５２は一体に結合されており、従って、ヘリコイド環２の回転が回転伝達溝２ｂと径方向突起５１ａを介して外側回転伝達環５１に伝達されると、ヘリコイド３ａ、５２ａを介して、内側カム環５２（カム環アッセンブリ５）が回転しながら光軸方向に進退する。
【００１１】
カム環アッセンブリ５の内側カム環５２の内周面には、相対回転は自在で光軸方向には同道するように、第二直進案内環６が結合されている。この第ニ直進案内環６は、周知のガイド機構により、第一直進案内環３と同じく光軸と平行な方向にのみ直進移動するように案内されている。第一レンズ群Ｌ１を支持した第一レンズ群枠７と、第二レンズ群枠Ｌ２を支持した第二レンズ群枠８は、第二直進案内環６によって、光軸方向移動のみ可能にガイドされており、該第一レンズ群枠７と第二レンズ群枠８とにそれぞれ径方向に突出させたフォロアピンは、内側カム環５２の内周面に形成したカム溝にそれぞれ嵌まっている。
【００１２】
上記構成のズームレンズ鏡筒は、ヘリコイド環２とカム環アッセンブリ５が回転とともに光軸方向に進退する部材であり、第一直進案内環３、第二直進案内環６、第一レンズ枠７及び第二レンズ枠８が光軸方向に直進移動する部材である。そして、多連ピニオン４の回転によってヘリコイド環２とカム環アッセンブリ５が回転とともに光軸方向に進退すると、第一直進案内環３、第二直進案内環６、第一レンズ枠７及び第二レンズ枠８が光軸方向に直進移動し、第一レンズ枠７（第一レンズ群Ｌ１）と第二レンズ枠８（第二レンズ群Ｌ２）の位置は、内側カム環５２のカム溝形状によって決定され、ズーミングがなされる。フォーカシング及び露出制御は、第一レンズ枠７内に保持したレンズシャッタブロック９によって実行される。
【００１３】
ＦＰＣ基板１０は、このレンズシャッタブロック９に、カメラボディ側から給電及び動作制御信号を与えるものである。この実施形態では、レンズシャッタブロック９から第二直進案内環６の内面を後方に導かれた後前方に折り返されて、カム環アッセンブリ５の内側カム環５２と外側回転伝達環５１との間に導かれ、第一直進案内環３の前端部において後方に折り返されるとともに、該第一直進案内環３の内面にリテーナ１１を介して固定されている。リテーナ１１で固定されたＦＰＣ基板１０は、第一直進案内環３の内面に形成された収納溝を通って、その後端部に導かれ、さらに、前方に折り返されて固定筒１の内面に形成した収納溝を通り、固定筒１の外に出されている。固定筒１の外に出たＦＰＣ基板１０は、さらに後方に折り返されてカメラボディの制御回路に接続される。
【００１４】
以上のＦＰＣ基板１０の引き回し構造では、ズームレンズ鏡筒のズーミング動作により、第一直進案内環３と第二直進案内環６の後方へのＦＰＣ基板１０の突出量が変化する。この突出量は、第１レンズ群Ｌ１と第２レンズ群Ｌ２を前方に繰り出すに従って、大きくなり、特にフィルム面（撮像面）に遠い第二直進案内環６の後端部からの突出量が大きいと、撮影光路への垂れ下がりが大きくなるため、撮影に支障を来す可能性がある。本実施形態は、この第二直進案内環６の後方へのＦＰＣ基板１０の垂れ下がりを防止するため、第二直進案内環６の後端部に、環状板ばね１２を取り付けたものである。
【００１５】
この実施形態に係る環状板ばね１２は、図３、図４に明らかなように、略円環状の領域のうち、略１８０度の中心角度θに相当する領域、つまり略半分の固定領域１２Ａのみを第二直進案内環６の後端面６Ｅに固定し、残り略半分の領域が、後端面６Ｅから角度αだけ折曲されて浮き上がる状態に構成されている。換言すれば、この環状板ばね１２は、略半分の浮上領域１２Ｂを第二直進案内環６の後端面６Ｅから離間・浮上させることによって、この領域に位置するＦＰＣ基板１０の余分な部分、つまり、弛みをもたらす可能性のある部分を伸張させて、弛みの発生防止を行っている。環状板ばね１２の固定領域１２Ａには、固定位置決め穴１２ｘが形成され、第二直進案内環６の後端面６Ｅには、この固定位置決め穴１２ｘに嵌合するボス６ｘが突設されている。図２の上半図と下半図ではそれぞれ、環状板ばね１２の固定領域１２Ａと浮上領域１２Ｂを同じ位置に描いている。
【００１６】
従って、この実施形態によれば、例えば図２の上半に示すワイド時のように、第二直進案内環６の後端からのＦＰＣ基板１０の突出量が小さいときには、環状板ばね１２の浮上領域１２ＢがＦＰＣ基板１０によって浮上量が小さくなるように押される。この状態では、ＦＰＣ基板１０が光路内へ撓むことはない。
【００１７】
一方、テレ時には、図２の下半に示すように、第二直進案内環６の後端からのＦＰＣ基板１０の突出量が大きくなる。このときには、環状板ばね１２の浮上部１２ＢがＦＰＣ基板１０の折り返し部を光軸方向後方へ押し出すので、ＦＰＣ基板１０が撓んで光路内へ進入するのを防止できる。
【００１８】
なお、ＦＰＣ基板１０が自身の自重で撓んで光路内へ進入するのを防止するため、環状板ばね１２の浮上部１２Ｂは、通常使用状態のカメラの下方に位置させるのが好ましい。
【００１９】
以上の実施形態に示したズームレンズ鏡筒は一例であり、本発明は、ズーミング動作に伴って光軸方向に進退する光軸方向移動部材を有するズームレンズ鏡筒であれば、その具体構成を問うことなく、適用できる。
【００２０】
【発明の効果】
この発明によれば、ズーミング動作に伴って光軸方向に進退する光軸方向移動部材に搭載した電気素子とカメラ本体側の制御回路との間でＦＰＣ基板を引廻すＦＰＣ基板の保持構造であって、ＦＰＣ基板は、電気素子から制御回路に至る間に折り返し部分を有し、ズームレンズ鏡筒を構成する環状部材の端面に、ＦＰＣ基板のこの折り返し部分内に入り込んで、該折り返し部分を伸張方向に付勢する板ばね体を設け、上記板ばね体は、薄肉リング状をなす環状板ばね体からなり、その略半分が環状部材の端面に固定され、残りの半分が上記折り返し部分を伸長方向に付勢する浮上部を構成するので、スペース効率が良好で、レンズ鏡筒の小型化に都合のよいＦＰＣ基板の保持構造を提供できる。
【図面の簡単な説明】
【図１】この発明に係るＦＰＣ基板の保持構造を設けたズームレンズ鏡筒の上半断面図である。
【図２】図１のズームレンズ鏡筒のワイド端状態とテレ端状態を上半図と下半図に描いた断面図である。
【図３】この発明に係るＦＰＣ基板の保持構造に備えた撓み防止手段である板ばね及び直進案内環を示す分解斜視図である。
【図４】図３とは別の角度から見た分解斜視図である。
【符号の説明】
１        固定筒
２        ヘリコイド環
３        第一直進案内環
４        多連ピニオン
５        カム環アッセンブリ
５１      外側回転伝達環
５２      内側カム環
６        第二直進案内環（光軸方向移動部材）
６Ｅ      固定端面
７        第一レンズ枠
８        第二レンズ枠
９        レンズシャッタブロック（電気素子）
１０      ＦＰＣ基板
１１      リテーナ
１２      環状板ばね
１２Ａ    固定部
１２Ｂ    浮上部
【図１】
0004727032.tif 000002
【図２】
0004727032.tif 000003
【図３】
0004727032.tif 000004
【図４】
0004727032.tif 000005